(57)【要約】【課題】地上デジタル放送を受信する際に、デジタル放送信号にとって妨害信号となる他の受信信号を除去し、デジタル特有のブロックノイズや、ビットエラーの発生を防ぐことができる信号分配ユニット等を提供する。【解決手段】  受信装置１００に設けられた信号分配ユニット１２は、分配回路１５と、信号フィルタ１６と、アナログ信号出力端子１７と、デジタル信号出力端子１８とから構成されている。地上デジタル放送を受信する際に、分配回路１５は、アンテナ１０から入力される地上波放送信号をアナログ放送受信チューナ用信号とデジタル放送受信チューナ用信号に分配して、得られたデジタル放送受信チューナ用信号は信号フィルタ１６を通過させることで、デジタル放送信号にとって妨害信号となる他の受信信号が除去され、得られたデジタル放送信号はデジタル放送受信チューナ１４に入力されるようになされる。【選択図】        図１
2005223741.tif 000002
【特許請求の範囲】
【請求項１】
アンテナから入力される地上波放送信号をアナログ放送受信チューナ用信号とデジタル放送受信チューナ用信号に分配する信号分配手段と、
上記信号分配手段により得られたデジタル放送受信チューナ用信号にとって妨害信号となる他の受信信号を減衰または除去する信号除去手段と、
上記信号除去手段より出力される上記デジタル放送信号を出力するための出力端子と
を備えることを特徴とする信号分配ユニット。
【請求項２】
上記信号除去手段は、地上デジタル放送帯域の信号を通過させる特性を持つバンドパスフィルタである
ことを特徴とする請求項１に記載の信号分配ユニット。
【請求項３】
上記バンドパスフィルタは、所定帯域のローパスフィルタ、所定帯域のハイパスフィルタ、および上記ローパスフィルタとハイパスフィルタの出力を混合する混合器から構成される
ことを特徴とする請求項２に記載の信号分配ユニット。
【請求項４】
受信信号を増幅させるアンプと、電源供給手段とをさらに備える
ことを特徴とする請求項１に記載の信号分配ユニット。
【請求項５】
アナログ放送信号およびデジタル放送信号を受信することが可能な受信装置において、
アナログ放送受信チューナと、
デジタル放送受信チューナと、
受信される地上波放送信号を上記アナログ放送受信チューナへ出力する信号とデジタル放送受信チューナへ出力する信号に分配する信号分配ユニットとを有し、
上記信号分配ユニットは、
アンテナから入力される地上波放送信号をアナログ放送受信チューナ用信号とデジタル放送受信チューナ用信号に分配する信号分配手段と、
上記信号分配手段により得られたデジタル放送受信チューナ用信号にとって妨害信号となる他の受信信号を減衰または除去する信号除去手段と、
上記信号除去手段より出力される上記デジタル放送信号を出力するための出力端子とを備える
ことを特徴とする受信装置。
【請求項６】
上記信号除去手段は、地上デジタル放送帯域の信号を通過させる特性を持つバンドパスフィルタである
ことを特徴とする請求項５に記載の受信装置。
【請求項７】
上記バンドパスフィルタは、所定帯域のローパスフィルタ、所定帯域のハイパスフィルタ、および上記ローパスフィルタとハイパスフィルタの出力を混合する混合器から構成される
ことを特徴とする請求項６に記載の受信装置。
【発明の詳細な説明】
【技術分野】
【０００１】
この発明は、地上波受信用信号分配ユニットおよびそれを用いた受信装置に関する。詳しくは、信号分配手段と、該信号分配手段により得られたデジタル放送受信チューナ用信号にとって妨害信号となる他の受信信号を除去する信号除去手段と、デジタル放送信号を出力するための出力端子とが設けられ、地上デジタル放送を受信する際に、アンテナから入力される地上波放送信号をアナログ放送受信チューナ用信号とデジタル放送受信チューナ用信号に分配して、得られたデジタル放送受信チューナ用信号は信号除去手段により妨害信号を除去し、デジタル放送受信チューナへ出力する構成とすることによって、地上デジタル放送を受信する際に、デジタル特有のブロックノイズや、ビットエラーの発生を防ぐことができるようにした信号分配ユニット等に係るものである。
【背景技術】
【０００２】
近年、地上デジタル放送が進めており、現状の地上波放送ではアナログ放送とデジタル放送は同時に存在している。地上デジタル放送は、総務省情報通信局により、２００１年７月１８日の放送普及基本計画及び放送用周波数使用計画の各一部変更（地上テレビジョン放送のデジタル化に伴う制度整備）の告示によって、ＵＨＦ帯域の周波数を使用することに定められた。
【０００３】
従来からの標準テレビジョン放送（標準テレビジョン放送のうちデジタル放送に関する送信の標準方式によるものを除く。以下、標準テレビジョン放送という）は、ＶＨＦ帯域の１チャンネルから、１２チャンネルまでの周波数帯は使用されている。更に、１２チャンネルから、ＵＨＦ帯域の１３チャンネルまでの周波数帯は、各種アマチュア無線等の多種多様な無線局等の割り当てがされており、ＵＨＦ帯を使用する地上デジタル放送受信にとって、前述の信号は不要な信号（受信機内部で干渉を与える妨害信号の可能性のある信号）となり得る。
【０００４】
また、ＵＨＦ帯域内に割り当てのある標準テレビジョン放送も、地上デジタル放送にとっては必要の無い信号であり、受信機内部で干渉を与える妨害信号の可能性のある信号となり得る。
【０００５】
今後、地上デジタル放送が難視聴地域対策や、商用配信等でケーブル送信された場合にも、ＶＨＦ帯域の１２チャンネルから、ＵＨＦ帯域の１３チャンネル間の周波数帯における標準テレビジョン放送の信号も、受信機内部で干渉を与える妨害信号の可能性のある信号となり得る。
【０００６】
また、地上デジタルの放送開始にあたり、放送チャンネルを新たに確保するため、現行放送のアナログ周波数変更を行う、いわゆるアナアナ変更（以下、アナアナ変更という）を行う必要がある。このアナアナ変更等の期間における地上デジタル放送の送信電力や、割り当てられた送信電力が小さい場合は、前述したデジタル放送を除いた標準テレビジョンや、その他の無線局が、地上デジタル受信にとって影響を与えないレベルまで除去もしくは、減衰させておくことが望ましいと考えられる。
【０００７】
なお、受信装置において、目的受信周波数の受信信号のレベル変化と目的受信周波数およびその近傍にある他局の送信周波数を含む受信信号のレベル変化の相似性を比較演算して受信状況を判断して帯域可変フィルタの帯域幅を自動的に調整設定することができる受信機が提案されている（例えば、特許文献１参照）。
【０００８】
この場合、目的受信周波数の受信信号のレベル変化と目的受信周波数およびその近傍にある他局の送信周波数を含む受信信号のレベル変化が同じで似ていれば、混信信号が存在せずに帯域幅の拡大により音質を向上させるとともに、変化が全く異なり似ていなければ混信信号による相互変調を排除すべき帯域幅の縮小により復調出力の明瞭度を向上させる。このように、受信状況に応じて自動的に受信機が最適な設定状態に調整される。
【０００９】
【特許文献１】特開平６−６９８１９号公報（第４，５頁、第１図）
【発明の開示】
【発明が解決しようとする課題】
【００１０】
上述したように、アナログ放送信号とデジタル放送信号を共に受信できる受信装置を利用する場合、デジタル放送受信時、ＶＨＦ帯域の１チャンネルから、１２チャンネルまでの周波数帯の放送信号、または１２チャンネルから、ＵＨＦ帯域の１３チャンネルまでの周波数帯にある各種アマチュア無線信号は、地上デジタル放送受信にとって、不要な信号（妨害信号）であり、受信機内部で干渉を与える可能性がある。そのため、地上デジタル放送を受信する際に、ブロックノイズや、ビットエラーを発生する問題があった。
【００１１】
また、ＵＨＦ帯域内に割り当てのある標準テレビジョン放送も、地上デジタル放送にとっては必要の無い信号であり、受信機内部で干渉を与える妨害信号となる可能性がある。そのため、地上デジタル放送を受信する際に、ブロックノイズや、ビットエラーを発生する問題があった。
【００１２】
また、特許文献１の場合、異なる帯域のフィルタの選択を自動的に行うものであり、アンテナから入力される地上波放送信号をアナログ放送受信チューナ用信号とデジタル放送受信チューナ用信号に分配して、得られたデジタル放送受信チューナ用信号はフィルタを通過することで、デジタル放送信号近傍にある不要な受信信号を除去する作用がないので、地上デジタル放送を受信する際に、デジタル特有のブロックノイズや、ビットエラーの発生を防ぐことができない。
【００１３】
そこで、この発明は、地上デジタル放送を受信する際に、デジタル放送信号にとって妨害信号となる他の受信信号を除去することで、デジタル特有のブロックノイズや、ビットエラーの発生を防ぐことができるようにした信号分配ユニットおよび受信装置を提供することを目的とする。
【課題を解決するための手段】
【００１４】
この発明に係る信号分配ユニットは、アンテナから入力される地上波放送信号をアナログ放送受信チューナ用信号とデジタル放送受信チューナ用信号に分配する信号分配手段と、該信号分配手段により得られたデジタル放送受信チューナ用信号にとって妨害信号となる他の受信信号を減衰または除去する信号除去手段と、該信号除去手段より出力されるデジタル放送信号を出力するための出力端子とを備えるものである。
【００１５】
例えば、信号除去手段は、地上デジタル放送帯域の信号を通過させる特性を持つバンドパスフィルタであり、このバンドパスフィルタは、所定帯域のローパスフィルタ、所定帯域のハイパスフィルタ、および上記ローパスフィルタとハイパスフィルタの出力を混合する混合器から構成されるようになされる。
【００１６】
この発明に係る受信装置は、アナログ放送信号およびデジタル放送信号を受信することが可能な受信装置において、アナログ放送受信チューナと、デジタル放送受信チューナと、受信される地上波放送信号を上記アナログ放送受信チューナへ出力する信号とデジタル放送受信チューナへ出力する信号に分配する信号分配ユニットとを有し、該信号分配ユニットは、アンテナから入力される地上波放送信号をアナログ放送受信チューナ用信号とデジタル放送受信チューナ用信号に分配する信号分配手段と、該信号分配手段により得られたデジタル放送受信チューナ用信号にとって妨害信号となる他の受信信号を減衰または除去する信号除去手段と、該信号除去手段より出力されるデジタル放送信号を出力するための出力端子とを備えるものである。
【００１７】
この発明においては、地上デジタル放送を受信する際に、信号分配手段によりアンテナから入力される地上波放送信号がアナログ放送受信チューナ用信号とデジタル放送受信チューナ用信号に分配され、信号分配手段により得られたデジタル放送受信チューナ用信号にとって妨害信号となる他の受信信号が信号除去手段（バンドパスフィルタ）により除去される。バンドパスフィルタより出力されるデジタル放送信号は独立した出力端子より出力され、デジタル放送受信チューナに入力される。これにより、地上デジタル放送を受信する際に、デジタル放送信号にとって妨害信号となる他の受信信号を除去することができ、デジタル特有のブロックノイズや、ビットエラーの発生を防ぐことが可能となる。
【発明の効果】
【００１８】
この発明によれば、アンテナから入力される地上波放送信号をアナログ放送受信チューナ用信号とデジタル放送受信チューナ用信号に分配する信号分配手段と、該信号分配手段により得られたデジタル放送受信チューナ用信号にとって妨害信号となる他の受信信号を除去する信号除去手段と、デジタル放送信号を出力するための出力端子とを備え、地上デジタル放送を受信する際に、アンテナから入力される地上波放送信号をアナログ放送受信チューナ用信号とデジタル放送受信チューナ用信号に分配して、得られたデジタル放送受信チューナ用信号は信号除去手段により妨害信号を除去し、デジタル放送受信チューナへ出力するのであり、地上デジタル放送を受信する際に、デジタル特有のブロックノイズや、ビットエラーの発生を防ぐことができ、高品質の受信を実現することができる。
【発明を実施するための最良の形態】
【００１９】
以下、この発明の実施の形態の信号分配ユニットおよび受信装置について説明する。
【００２０】
図１は、本発明の第１の実施の形態の受信装置１００の構成を示す図である。図１に示すように、受信装置１００は、受信信号入力端子１１と、信号分配ユニット１２と、アナログ放送受信チューナ１３と、デジタル放送受信チューナ１４とを有している。
【００２１】
受信信号入力端子１１は、受信アンテナ１０に接続され、アンテナ１０から送られてきた受信信号を信号分配ユニット１２に入力するための端子である。
【００２２】
信号分配ユニット１２は、信号分配手段としての分配回路１５と、信号除去手段としての信号フィルタ１６と、アナログ信号出力端子１７と、デジタル信号出力端子１８とから構成されている。
【００２３】
この信号分配ユニット１２において、分配回路１５は、信号分配手段としてアンテナ１０から入力される地上波放送信号をアナログ放送受信チューナ用信号とデジタル放送受信チューナ用信号に分配するようになされる。信号フィルタ１６は、分配回路１５により得られたデジタル放送受信チューナ用信号にとって妨害信号となる他の受信信号を減衰または除去するようになされる。信号フィルタ１６から出力されるデジタル放送信号は、デジタル信号出力端子１８からデジタルチューナ１４へ出力される。また、分配回路１５から出力されるアナログ放送信号は、アナログ信号出力端子１７からアナログチューナ１３へ出力される。
【００２４】
また、信号フィルタ１６は、地上波放送のＵＨＦ帯域のみ通過させるバンドパスフィルタにより構成される。ＶＨＦ帯域の１チャンネルから、１２チャンネルまでの周波数帯や、更に、１２チャンネルから、ＵＨＦ帯域の１３チャンネルまでの周波数帯における各種無線等の多種多様な無線局等の地上デジタル放送受信にとって、不要な信号を除去することが可能とされる。
【００２５】
信号フィルタ１６は、例えば、１つの所定帯域のローパスフィルタから構成される。また例えば、１つの所定帯域のハイパスフィルタから構成される。また例えば、所定帯域のローパスフィルタ、所定帯域のハイパスフィルタ、および上記ローパスフィルタとハイパスフィルタの出力を混合する混合器から構成される。
【００２６】
図２は、信号フィルタ１６の特性の例を示す図である。図２に示すように、信号フィルタ１６は、ＵＨＦ帯域の信号を支障なく通過させ、ＶＨＦ帯域の信号を阻止するものである。
【００２７】
また、地上デジタル放送が難視聴地域対策や、商用配信等でケーブル送信された場合にも、ＶＨＦ帯域の１２チャンネルから、ＵＨＦ帯域の１３チャンネル間の周波数帯における標準テレビジョン放送の信号も、受信機内部で干渉を与える妨害信号の可能性のある信号として、バンドパス特性により除去するようになされる。
【００２８】
また、ＵＨＦ帯域内に割り当てのある地上デジタル放送以外のアナログテレビジョン放送も、地上デジタル放送にとっては必要の無い信号であり、場合によっては受信機内部で干渉を与える妨害信号の可能性のある信号となり得るため、信号フィルタ１６の機能として、アナログ放送信号を除去するトラップを形成するようになされる。この場合、トラップ周波数ポイントを、固定するようにしてもよい。または可変できる回路を備える構成を用いてもよい。
【００２９】
アナログ放送受信チューナ１３は、地上波のアナログ放送受信を受信するための回路である。このアナログ放送受信チューナ１３は、ＶＨＦ帯域の１チャンネルから、１２チャンネルまでのアナログ放送信号、およびＵＨＦ帯域のアナログ放送信号を受信することができる。また、デジタル放送受信チューナ１４は、地上波のＵＨＦ帯域のデジタル放送受信を受信するための回路である。
【００３０】
このように本実施の形態においては、受信装置１００に信号分配ユニット１２が設けられ、地上デジタル放送を受信する際に、分配回路１５は、アンテナから入力される地上波放送信号をアナログ放送受信チューナ用信号とデジタル放送受信チューナ用信号に分配して、得られたデジタル放送受信チューナ用信号は、信号フィルタ１６によりデジタル放送信号近傍にある不要な受信信号が除去され、デジタル信号出力端子を介してデジタル放送受信チューナに入力されるようになされる。
【００３１】
これにより、デジタル放送信号にとって妨害信号となる他の受信信号、例えばＶＨＦ帯域の１〜１２チャンネルのアナログ放送信号、ＵＨＦ帯域内に割り当てのアナログ放送信号および他の無線信号の干渉を防止することができ、デジタル特有のブロックノイズや、ビットエラーの発生を防ぐことができる。その結果、高品質の受信を実現することができる。
【００３２】
また、アナアナ変更等の期間における地上デジタル放送の送信電力や、割り当てられた送信電力が小さい場合は、アナログ放送やその他の無線局が、地上デジタル受信に与える影響が大きいことが予想され、デジタル放送信号受信チューナの性能を超える悪い環境条件になった場合でも、受信可能なサービスエリアを拡大することが可能となる。
【００３３】
次に、本発明の第２の実施の形態について説明する。図４は、本発明の第２の実施の形態の受信装置２００の構成を示す図である。この図４において、図１と対応する部分には、同一符号を付し、その詳細説明は省略する。
【００３４】
図４に示すように、受信装置２００は、受信信号入力端子１１と、信号分配ユニット１２Ａと、アナログ放送受信チューナ１３Ａと、デジタル放送受信チューナ１４とを有している。この受信装置２００において、信号分配ユニット１２Ａは、アナログ放送受信チューナ１３Ａの中に設けられている。その他の部分は、上述した受信装置１００の対応する部分と同じ機能を有している。
【００３５】
信号分配ユニット１２Ａは、分配手段としての分配回路１５と、信号除去手段としての信号フィルタ１６と、デジタル信号出力端子１８とから構成されている。分配回路１５からのアナログ信号は、直接にアナログ放送選局部１９に入力される。また、分配回路１５からのデジタル信号は、信号フィルタ１６で不要な信号を除去した後、デジタル信号出力端子１８より出力され、デジタル放送受信チューナ１４に入力される。
【００３６】
このように本実施の形態においては、受信装置２００に信号分配ユニット１２Ａが設けられ、地上デジタル放送を受信する際に、分配回路１５は、アンテナから入力される地上波放送信号をアナログ放送受信チューナ用信号とデジタル放送受信チューナ用信号に分配して、得られたデジタル放送受信チューナ用信号は、信号フィルタ１６によりデジタル放送信号近傍にある不要な受信信号が除去され、デジタル放送受信チューナ１４に入力されるようになされる。
【００３７】
これにより、デジタル放送信号にとって妨害信号となる他の受信信号、例えばＶＨＦ帯域の１〜１２チャンネルのアナログ放送信号、ＵＨＦ帯域内に割り当てのアナログ放送信号および他の無線信号の干渉を防止することができ、デジタル特有のブロックノイズや、ビットエラーの発生を防ぐことができる。その結果、高品質の受信を実現することができる。
【００３８】
また、アナアナ変更等の期間における地上デジタル放送の送信電力や、割り当てられた送信電力が小さい場合は、アナログ放送やその他の無線局が、地上デジタル受信に与える影響が大きいことが予想され、デジタル放送信号受信チューナの性能を超える悪い環境条件になった場合でも、受信可能なサービスエリアを拡大することが可能となる。
【００３９】
地上デジタル放送を受信する受信装置において、複数地域の放送信号を送受信することが可能な場合に、信号フィルタ１６として、複数のフィルタを用いる必要がある。
【００４０】
例えば、東京と千葉地域の放送信号を送受信する可能な受信システムにおいて、図５に示すように、信号フィルタ１６Ａは、１３〜２８チャンネル帯域のローパスフィルタ２１Ａと、３０〜６２チャンネル帯域のハイパスフィルタ２２Ａと、ローパスフィルタ２１Ａとハイパスフィルタ２２Ａの出力を混合する混合器２３とから構成される必要がある。
【００４１】
この場合、東京は１４，１６チャンネルにアナログ放送信号があり、２０〜２８チャンネルにデジタル放送信号がある。一方、千葉は３０チャンネルにデジタル放送信号があり、４６チャンネルにアナログ放送信号がある。
【００４２】
図５に示すような信号フィルタ１６Ａを用いることで、図６に示すように、放送信号を受信する帯域を切り分ける。これにより、所定の地域の地上デジタル放送信号を受信する際に、他の地域の放送信号による影響を避けることができる。
【００４３】
また例えば、東京と神奈川地域の放送信号を送受信する可能な受信システムにおいて、図７に示すように、信号フィルタ１６Ｂは、トラップ１８チャンネルの２８チャンネルまでのローパスフィルタ２１Ｂと、１８チャンネルのバンドパスの４２チャンネル以上のハイパスフィルタ２２Ｂと、ローパスフィルタ２１Ｂとハイパスフィルタ２２Ｂの出力を混合する混合器２３とから構成される必要がある。
【００４４】
この場合、東京は１４，１６チャンネルにアナログ放送信号があり、２０〜２８チャンネルにデジタル放送信号がある。一方、神奈川は１８チャンネルにデジタル放送信号があり、４２チャンネルにアナログ放送信号がある。
【００４５】
図７に示すような信号フィルタ１６Ｂを用いることで、図８に示すように、放送信号を受信する帯域において、東京はトラップ１８チャンネルの２８チャンネルまでのローパスフィルタ２１Ｂにより規定される帯域となる。神奈川は１８チャンネルのバンドパスの４２チャンネル以上のハイパスフィルタ２２Ｂにより規定される帯域となる。これにより、所定の地域の地上デジタル放送信号を受信する際に、他の地域の放送信号による影響を避けることができる。
【００４６】
このように、他の地域の場合も、上述と同様な方法で、２つのフィルタにより放送信号を受信する帯域を切り分けることができるため、所定の地域の地上デジタル放送信号を受信する際に、他の地域の放送信号による影響を避けることができる。
【００４７】
なお、上述実施の形態においては、アンテナ１０からの受信信号は直接に分配回路１５に入力するようにしたものであるが、これに限定されるものではない。信号分配ユニット１２，１２Ａは受信信号を増幅させるアンプと、電源供給手段とをさらに備えるようにしてもよい。この場合、信号分配ユニット１２，１２Ａにアンプを設け、アンテナ１０からの受信信号はアンプを介して分配回路１５に入力するようにしてもよい。
【００４８】
また、上述実施の形態においては、信号分配ユニット１２，１２Ａが、受信装置１００，２００の内部に設けられるものであるが、これに限定されるものではない。信号分配ユニット１２，１２Ａを独立にして、受信装置１００，２００と別体にしてもよい。
【００４９】
また、上述実施の形態においては、一つのフィルタ、および一つのローパスフィルタと一つのハイパスフィルタを用いたものについて説明したが、これに限定されるものではない。
【産業上の利用可能性】
【００５０】
以上のように、この発明に係る信号分配ユニット、それを用いた受信装置は、アナログ放送とデジタル放送を共に受信可能なテレビ受信機を含む映像受信装置に適用できる。
【図面の簡単な説明】
【００５１】
【図１】第１の実施の形態の受信装置の構成例を示す図である。
【図２】信号フィルタの特性例を示す図である。
【図３】信号フィルタによるアナログ放送信号の除去例を示す図である。
【図４】第２の実施の形態の受信装置の構成例を示す図である。
【図５】信号フィルタの他の構成例１を示す図である。
【図６】信号フィルタ１６Ａのバンドパス領域を示す図である。
【図７】信号フィルタの他の構成例２を示す図である。
【図８】信号フィルタ１６Ｂのバンドパス領域を示す図である。
【符号の説明】
【００５２】
１０・・・アンテナ、１１・・・受信信号入力端子、１２，１２Ａ・・・信号分配ユニット、１３，１３Ａ・・・アナログ放送受信チューナ、１４・・・デジタル放送受信チューナ、１５・・・分配回路、１６，１６Ａ，１６Ｂ・・・信号フィルタ、１７・・・アナログ信号出力端子、１８・・・デジタル信号出力端子、１９・・・アナログ放送選局部、２１Ａ，２１Ｂ・・・ローパスフィルタ、２２Ａ，２２Ｂ・・・ハイパスフィルタ、２３・・・混合器、１００，２００・・・受信装置
【図１】
2005223741.tif 000003
【図２】
2005223741.tif 000004
【図３】
2005223741.tif 000005
【図４】
2005223741.tif 000006
【図５】
2005223741.tif 000007
【図６】
2005223741.tif 000008
【図７】
2005223741.tif 000009
【図８】
2005223741.tif 000010